(57)【要約】【課題】  手の不自由な病人や障害者などが、一人で簡単、且つ衛生的に、また便器に簡単に取り付けて手軽に使用でき、更には特別な操作を伴うことなく、しかも低コストで採尿できるようにする。【解決手段】  尿を収容するカップ本体１に取っ手２を設けている採尿用の計量カップであって、上記の取っ手２を、水平状の軸部２ａと、これに連なる立ち下げ片２ｂとで下端を開放させてほぼ鉤形に形成する。この取っ手２の内側を、洋式便器３のリム３ａに嵌合させて着脱自在に形成する。【選択図】      図１
0003115364.tif 000002
【実用新案登録請求の範囲】
【請求項１】
尿を収容するカップ本体に取っ手が設けられている採尿用の計量カップであって、上記の取っ手が、水平状の軸部と、これに連なる立ち下げ片とで下端を開放させてほぼ鉤形に形成され、この取っ手の内側を洋式便器のリムに嵌合させて着脱自在に形成されていることを特徴とする採尿用の計量カップ。
【請求項２】
請求項１記載の採尿用の計量カップであって、取っ手の下端に、洋式便器のリムの外側面の凹段差に係合する係合部が、カップ本体の側に突き出されて形成されていることを特徴とする採尿用の計量カップ。
【請求項３】
請求項１又は２記載の採尿用の計量カップであって、取っ手の水平状の軸部が、長さ調節自在に形成されていることを特徴とする採尿用の計量カップ。
【考案の詳細な説明】
【技術分野】
【０００１】
本考案は、採尿用の計量カップに関し、更に詳しくは手や身体の不自由な人が楽に、且つ衛生的に採尿できるよう形成した採尿用の計量カップに関するものである。
【背景技術】
【０００２】
従来この種の技術としては、例えば洋式便器のリムに載置する支持体と、この支持体に軸支された揺動アームと、この揺動アームに担持された採尿容器と、揺動アームを回転駆動するモータとを有して構成されているものがある（例えば特許文献１参照）。
【０００３】
ところでこの種のカップは、採尿時に手で持つ必要があることから、手の不自由な人は一人で採尿できず、また採尿時に尿が過って手にかかることもあり、不衛生になり易い。
従ってこの種のカップは、手の不自由な病人や障害者などが、一人で簡単、且つ衛生的に、また便器に簡単に取り付けて手軽に使用でき、更には特別な操作を伴うことなく、しかも低コストで採尿できるよう形成されているの望ましい。
しかるに従来品は、上記の通り、モータを備え、採尿時に、このモータのスイッチをオンオフ操作する必要があった。従って従来品によると、装置を取り付けた便器しか使用できず、また操作が煩わしく、更にはモータなどの部品を備える分、値段が高く付く、という問題点があった。
【特許文献１】特開２００１−２０８７５２号公報
【考案の開示】
【考案が解決しようとする課題】
【０００４】
本考案は、このような従来品の問題点に鑑み、提案されたものである。
従って本考案が解決しようとする技術的課題は、手の不自由な病人や障害者などが、一人で簡単、且つ衛生的に、また便器に簡単に取り付けて手軽に使用でき、更には特別な操作を伴うことなく、しかも低コストで採尿できるよう形成した使い勝手の良い採尿用の計量カップを提供することにある。
【課題を解決するための手段】
【０００５】
本考案は、上記の課題を解決するため、次のような技術的手段を採る。
即ち本考案は、図１等に示されるように、尿を収容するカップ本体１に取っ手２が設けられている採尿用の計量カップであって、上記の取っ手２が、水平状の軸部２ａと、これに連なる立ち下げ片２ｂとで下端を開放させてほぼ鉤形に形成され、この取っ手２の内側を洋式便器３のリム３ａに嵌合させて着脱自在に形成されていることを特徴とする（請求項１）。
【０００６】
ここで、ほぼ鉤形に形成され、とは、取っ手２が、水平状の軸部２ａと、立ち下げ片２ｂとで側面視ほぼＬ字状に屈曲形成され、例えば立ち下げ片２ｂが、カップ本体１の側に多少傾斜状、或いは湾曲状に形成されていたり、立ち下げ片２ｂの下端などに係合部２ｃなどの変形箇所が形成されている場合を含む、ということを意味する。またここで、着脱自在に形成されている、とは、使用時は洋式便器３のリム３ａに嵌め付け、採尿後はリム３ａから取り外すことができる、ということを意味する。具体的には、取っ手２をカップ本体１と共に合成樹脂材で一体成型し、合成樹脂材の復元力でリム３ａに挟み付けたり、或いは図７に示されるように、取っ手２の水平状の軸部２ａに、例えば引張りバネやゴム等の牽引部材７を内蔵し、この牽引部材７で立ち下げ片２ｂを常時牽引してリム３ａに密着状に固定したり、牽引部材７の牽引力に抗して立ち下げ片２ｂを手指で引くことにより、リム３ａから取り外し可能に形成することで実現される。
【０００７】
而して本考案は、取っ手２の下端に、洋式便器３のリム３ａの外側面の凹段差３ｂに係合する係合部２ｃが、カップ本体１の側に突き出されて形成されているのが好ましい（請求項２）。
なぜならこれによると、係合部２ｃが凹段差３ｂに係合して取り付け状態を安定化できるからである。係合部２ｃの形状は、例えば爪状（図４等参照）や、或いは凸段差状（図６参照）等、任意である。
【０００８】
また本考案の場合は、図６、図７に示されるように、取っ手２の水平状の軸部２ａが、長さ調節自在に形成されているのが好ましい（請求項３）。
なぜならこれによると、リム３ａの幅が異なる洋式便器３に対しても取り付けることができ、使い勝手が良くなるからである。なお図６に示される本考案品は、水平状の軸部２ａが、カップ本体１側の一片５と立ち下げ片２ｂ側の他片６とで形成され、一片５に嵌合用の雄部５ａが、またこの雄部５ａが挿し込まれる雌部６ａが他片６に形成されている。この本考案では、例えば立ち下げ片２ｂを側方に動かして一片５と他片６との嵌合位置をずらして軸部２ａの長さを調節する。また図７に示される実施形態は、上記のように、牽引部材７の牽引力に抗して立ち下げ片２ｂを側方に動かし、軸部２ａの長さを調節するものである。
【考案の効果】
【０００９】
本考案は、このように尿を入れるカップ本体に取っ手が設けられている採尿用の計量カップであって、上記の取っ手が、水平状の軸部と、これに連なる立ち下げ片とで下端を開放させてほぼ鉤形に形成され、この取っ手の内側を洋式便器のリムに嵌合させて着脱自在に形成されているものである。
従って本考案を使用すれば、手の不自由な病人や障害者などでも、簡単、且つ衛生的に、また便器に簡単に取り付けて手軽に使用でき、更には特別な操作を伴うことなく、しかも低コストで採尿できる。
【考案を実施するための最良の形態】
【００１０】
以下、本考案の好適な一実施形態を添付図面に従って説明する。
本考案は、図１等に示されるように、尿を収容するカップ本体１に取っ手２が設けられている採尿用の計量カップである。上記の取っ手２は、水平状の軸部２ａと、立ち下げ片２ｂとでほぼ鉤形に形成され、立ち下げ片２ｂの下端は開放されている。また取っ手２は、カップ本体１の側に少し傾斜されてカップ本体１と合成樹脂材で一体成型され、取っ手２の内側を洋式便器３のリム３ａ（上部の外周をなす環状部分）に嵌合させると、合成樹脂材の復元力により、リム３ａを挟み付け、リム３ａに対して着脱が可能になるよう形成されている。
【００１１】
２ｃは、洋式便器３のリム３ａの外側面の凹段差３ｂに係合する係合部である。この係合部２ｃは、取っ手２の立ち下げ片２ｂの下端に、カップ本体１の側に突き出されて形成されている。なおカップ本体１の外周面には、計量用の目盛４（図４参照）が付されている。
【００１２】
次に本考案の使用例を説明する。
先ず使用者は、例えば図５に示されるように、洋式便器３のリム３ａに、上方から取っ手２を押し込み、立ち下げ片２ｂとカップ本体１とが作る隙間にリム３ａを嵌合する。取っ手２は、リム３ａに押し込まれると、立ち下げ片２ｂが、一旦、外側に拡げられた後、復元し、リム３ａの外側面に内側が密着する。また水平状の軸部２ａの下面は、リム３ａの上面に、またカップ本体１の外周面はリム３ａの内側面に密着する。そして係合部２ｃが、図１、図４に示されるように、リム３ａの外側面の凹段差３ｂに係合するため、本考案品は、安定的に取り付けられる。
次にこの状態で使用者は、カップ本体１内に放尿し、尿を採取した後は、本考案品を上方に持ち上げ、便器３のリム３ａから取り外す。
【００１３】
以上の処において、本考案は、リム３ａの幅の異なる洋式便器３に対しても、柔軟に対応できるよう、取っ手２の水平状の軸部２ａが、長さ調節自在に形成されているのでも良い（図６、図７参照）。
図６に示される実施形態は、水平状の軸部２ａが、カップ本体１側の一片５と、立ち下げ片２ｂ側の他片６とで形成され、一片５に嵌合用の雄部５ａが形成され、他片６にこの雄部５ａが挿し込まれる雌部６ａが形成されている。軸部２ａの長さを調節する場合は、例えば立ち下げ片２ｂを側方に動かし、一片５と他片６との嵌合位置をずらすことで行なう。この場合、立ち下げ片２ｂが抜け落ちないよう、嵌合箇所に、ストッパー等の抜脱防止手段（図示せず）が設けられているのが良い。
【００１４】
また図７に示される実施形態の場合は、取っ手２の水平状の軸部２ａに、牽引部材７としての例えば引張りバネが内蔵され、この引張りバネで立ち下げ片２ｂを常時牽引するよう形成されている。軸部２ａは、上例と同様、カップ本体１側の一片５と、立ち下げ片２ｂ側の他片６とで形成され、一片５に形成されている牽引部材７の収納孔５ｂ内に、他片６の凸部６ｂが進退動作自在に差し込まれている。使用者は、本考案品をリム３ａに取り付ける場合は、牽引部材７としての引張りバネの牽引力に抗して立ち下げ片２ｂを手指で側方に引き、立ち下げ片２ｂとカップ本体１の外周面との距離を広げてリム３ａに係合させ、その後、立ち下げ片２ｂから手指を離す。すると本考案品が、引張りバネの復元力により、図面上、立ち下げ片２ｂが左側に移動し、立ち下げ片２ｂとカップ本体１の外周面との距離が縮まってリム３ａに密着し、リム３ａに固定されるものである。
【図面の簡単な説明】
【００１５】
【図１】本考案の計量カップの好適な一実施形態を示す使用状態時の側面図である。
【図２】同上計量カップの使用状態時の平面図である。
【図３】同上計量カップの要部拡大平面図である。
【図４】同上計量カップの要部拡大側面図である。
【図５】同上計量カップの着脱作用を説明するための要部側面図である。
【図６】同上計量カップの他の実施形態を示す要部断面図である。
【図７】同上計量カップの他の実施形態を示す要部断面図である。
【符号の説明】
【００１６】
１      カップ本体
２      取っ手
２ａ    水平状の軸部
２ｂ    立ち下げ片
３      洋式便器
３ａ    リム
【図１】
0003115364.tif 000003
【図２】
0003115364.tif 000004
【図３】
0003115364.tif 000005
【図４】
0003115364.tif 000006
【図５】
0003115364.tif 000007
【図６】
0003115364.tif 000008
【図７】
0003115364.tif 000009